(57)【要約】【課題】正常な歩行を実現するために、履き物内で正常な体重移動を実現させながら足部自体を強化するとともに正常な歩行ができるようにすることを目的とする。【解決手段】足裏部が当接する履き物用中敷の踵部より母趾球部、母趾球部から母趾部へ繋がる線上に隆起部を形成し、母趾球部から母趾部へ繋がる線上に隆起部を複数形成し、該隆起部を辿る歩行により足部を正しく強化し、正常な足部による正常な歩行を実現した。【選択図】図１
2008125693.tif 000002
【特許請求の範囲】
【請求項１】
足裏部が当接する履き物に用いられる中敷などにおいて、踵部と母趾球部とを繋ぐ線上に隆起部を形成し、母趾球部と母趾部とを繋ぐ線上に隆起部を複数形成していることを特徴とする歩行矯正用具。
【請求項２】
上記隆起部は、踵部と母趾球部とを繋ぐ線上に直交して形成し、母趾球部と母趾部とを繋ぐ線上に直交して複数形成していることを特徴とする請求項１に記載の歩行矯正用具。
【請求項３】
上記隆起部は、踵部と母趾球部とを繋ぐ線上に斜交して形成し、母趾球部と母趾部とを繋ぐ線上に斜交して複数形成していることを特徴とする請求項１に記載の歩行矯正用具。
【請求項４】
踵部と母趾球部とを繋ぐ線上に形成した上記隆起部と、母趾球部と母趾部とを繋ぐ線上に複数形成した上記隆起部が、直線状，直交あるいは斜交した隆起部であって、それぞれの隆起部が組み合わせられていることを特徴とする請求項１に記載の歩行矯正用具。
【請求項５】
上記隆起部は、足裏部が当接する履き物に用いられる中敷などの上面に形成していることを特徴とする請求項１〜４のいずれかに記載の歩行矯正用具。
【請求項６】
上記隆起部は、足裏部が当接する履き物に用いられる中敷などの下面に形成していることを特徴とする請求項１〜４のいずれかに記載の歩行矯正用具。
【請求項７】
上記隆起部は、足裏部が当接する履き物に用いられる中敷などの両面に形成していることを特徴とする請求項１〜４のいずれかに記載の歩行矯正用具。
【発明の詳細な説明】
【技術分野】
【０００１】
本発明は、足裏部での体重移動を正しく導き、足裏部の筋肉などをバランスよく鍛えることで足部が強化され、さらに、脚部や腰部が正常に動作する歩行を目的とした歩行矯正用具に関するものである。
【背景技術】
【０００２】
人間の特徴は、一本の脚で立ち転倒しないように、大腿骨が内側へ向ってのび、足の上に重心がのるようにできていて、二本の脚でもゆっくり歩くことができる。
また、足部の骨は湾曲した構造で、土踏まずといわれるドーム状の形状が体重を支えるバネの役目をしている。
人間の足部は、身体の真下に位置することで、重心のフラつきが少なく長時間の歩行が可能となった。
足部は、２６個の大小の骨でできている。骨と骨は、靭帯と筋肉でつながり、補強されていて、関節の決まった動きも靭帯と筋肉が正常に働くことが条件としてある。
足裏部の踵部と母趾部と小趾部の三ヶ所で体重を支え、三ヶ所を結ぶ三本の線が弧を描いてふくらんだ立体的な構造をしていて、それをアーチ構想という。このアーチ構造がスプリングの役目を果たし、地面からの衝撃を吸収し、荷重を分散させ、歩行をスムーズにし、立位姿勢を支えている。
このアーチ構造は、幼児期より成人へと成長する間にも、常に体重を支え、加重にさらされながらもさらに少しずつ高さを増していく。この理由としては、裸足で大地の上を歩き遊びながら進化してきた足部の特性といわれている。
【０００３】
幼児期より裸足で立ち、歩き、運動することで成人の足部を完成させてきたが、現在の生活環境において、コンクリートの建物や舗装された道路など、固い地面上を歩行することは避けられず、幼児期より履き物を用いない生活は考えられない。
現在、前のめりの歩き方で膝部がゆるみ、膝部の内側に圧力がかかり、膝関節の内側がすり減る変形性膝関節症や、ガニ股で歩く癖で、タコやウオノメになったり、運動不足により膝部筋肉が弱体化してＯ脚になったり、Ｘ脚になったり、窮屈な履き物の使用から外反母趾などの歩行に関する各種の問題が発生した。
【０００４】
昨今、ウォーキングブームになり、足部と履き物との関係が注目され、軽量化や機能を強化されたウォーキングシューズの開発や、ウオノメや外反母趾などの各種の足部トラブルに対応したインソールの開発など、足部にフィットした履き物や、変形した足部を保護するインソールや中敷など各種の提案がなされている。
【０００５】
Ｏ脚になる傾向の矯正及び、変形性膝関節病による膝痛の改善のために、両脚の下肢軸が左右外方向に向けて開いた状態から垂直方向へと矯正されるように、左右外方側を厚くする中敷の提案がなされている。（特開平１０−０１４６０８号公報）
【０００６】
また、日常動作の中でO脚を矯正するために、母指球部周辺の厚さを薄くすることにより、股関節が内側へ絞られた状態になり、日常の歩行や立位姿勢で股関節、膝関節周辺の筋肉をほぐし、関節の柔軟性を増すことができる中敷の提案がなされている。（特開２００４−２７５６５９号公報）
【０００７】
また、足と履き物との一体感に優れ、楽に運動でき、Ｏ脚やＸ脚などの障害を矯正でき、足の内側の筋肉を引き締めて足全体をスリムにし、履き心地を向上させるために、母指球部が当接する領域と母指の腹部が当接する領域に、それぞれが入り込めるように窪ますことで、足と履き物がピッタリとフィットすることで、横滑りが少なく、踏ん張りが効き機敏な動作に適し、楽に運動できる提案がなされている。（特開２００６−１９８３９９号公報）
【０００８】
【特許文献１】特開平１０−０１４６０８号公報。
【特許文献２】特開２００４−２７５６５９号公報。
【特許文献３】特開２００６−１９８３９９号公報。
【発明の開示】
【発明が解決しようとする課題】
【０００９】
歩行を考える場合において、足部の変形などの形状だけを前提とし、その対策としての考案が数多くなされている。膝部の外方向側へ開いた原因をただ足部の傾きだけに着目し、機械的に足部を内側へ傾斜させることだけでは、ますます足部を不安定にしてしまう。不安定な足部に対応するために膝部が傾斜したのであり、土台あっての脚軸であることはあきらかである。
【００１０】
また、足裏部は三つのアーチ部をバランスよく使用しながら歩行したり、立位姿勢時においても微妙に動作している。常に動くことを前提としている足裏部を一部分でも固定しようとする行為は、足裏部の筋骨系の自由な動きを妨害してしまう。
【００１１】
また、母趾球部と母趾部の腹部とを、凹状の型に固定することでフィット感を高める提案は、足趾部の自由な動きを妨害するだけでなく、十分な蹴り出しも不可能になってしまう。歩行を考える場合において、私たちが陥ってしまう二次元的な思考は、なかなか捨てられないものである。
【００１２】
今日まで、足部と履き物との一体化を目指した改良が数多くなされてきた。しかし、オーダーメイドの靴の使用においてさえも決定的なものがないのが現実である。
足部は、各人各様の形状を成しており、特に足趾部などその形状は変化に富み、一日の間にも変化する複雑で繊細な機関である。
【００１３】
正常な歩行とは、踵部から当接し、母趾部で蹴り出すことである。正常な歩行とは、足裏部での体重移動が正常に行われることである。足裏部での重心が踵部から足裏部外側を通って、母趾部へ移動する際に、外側から内側へあおるような動き方をする。この時に、足裏部の縦アーチと横アーチを連携して使用することで、流れるような動き方となり、少ないエネルギーで歩行することができる。
このあおり運動をしない足部は、アーチの形成が未発達であり、フラフラとした癖のある歩行となり、正常な体重移動を行えない歩行が、さらに足部を弱体化させてしまう。
あおり運動とは、足裏部で行われる正常な体重移動のことであり、あおり運動により、強靭なアーチが形成され、正常な歩行ができるようになり、結果正常な足部が完成される。
しかし、上記提案は、履き物だけの改良であり、変形した足部に対応した形状への改善や、足部を保護することだけを目的としたインソールや中敷など、履き物を中心とした考え方しか見えてこない。
本発明は、上記に鑑み考えたもので、足部そのものに着目し、正常な体重移動を通して、足裏部のアーチをバランスよく鍛え、正常な歩行をめざすものである。
正常な体重移動を履き物を履いての歩行で、履き物内で実行できるようにしたものであり、歩行にかかわる足部、脚部、腰部などの機能を正常にすることで正常な歩行を行うことを目的とする。
【課題を解決するための手段】
【００１４】
請求項１に記載のとおり、本発明による歩行矯正用具は、足裏部が当接する履き物に用いられる中敷などにおいて、踵部と母趾球部とを繋ぐ線上に隆起部を形成し、母趾球部と母趾部とを繋ぐ線上に隆起部を複数形成していることを特徴とする。
【００１５】
請求項２に記載のとおり、本発明による歩行矯正用具は、上記隆起部を、踵部と母趾球部とを繋ぐ線上に直交して形成し、母趾球部と母趾部とを繋ぐ線上に直交して複数形成していることを特徴とする。
【００１６】
請求項３に記載のとおり、本発明による歩行矯正用具は、上記隆起部を、踵部と母趾球部とを繋ぐ線上に斜交して形成し、母趾球部と母趾部とを繋ぐ線上に斜交して複数形成していることを特徴とする。
【００１７】
請求項４に記載のとおり、本発明による歩行矯正用具は、踵部と母趾球部とを繋ぐ線上に形成した上記隆起部と、母趾球部と母趾部とを繋ぐ線上に複数形成した上記隆起部が、直線状，直交あるいは斜交した隆起部であって、それぞれの隆起部が組み合わせられていることを特徴とする。
【００１８】
請求項５に記載のとおり、本発明による歩行矯正用具は、上記隆起部は、足裏部が当接する履き物に用いられる中敷などの上面に形成していることを特徴とする。
【００１９】
請求項６に記載のとおり、本発明による歩行矯正用具は、上記隆起部は、足裏部が当接する履き物に用いられる中敷などの下面に形成していることを特徴とする。
【００２０】
請求項７に記載のとおり、本発明による歩行矯正用具は、上記隆起部は、足裏部が当接する履き物に用いられる中敷などの両面に形成していることを特徴とする。
【発明の効果】
【００２１】
本発明による歩行矯正用具によれば、次のような効果を得ることができるようになった。
第一に、本発明の隆起部を踵部と母趾球部と母趾部とを繋ぐ線上に形成したので、当接する足裏部が該隆起部を意識する歩行ができるようになった。本発明の隆起部を辿る歩行は、踵部より母趾球部へと体重の移動が行えるようにしたので、踵部当接時の体重が内側の母趾球部へと内側方向へ移動することができるようになった。本発明の隆起部を辿る歩行は、足裏部での内側へと向かう力が働くようにしたので、膝部も内側へ誘導され大腿内側の筋肉が働き、踵部から大腿部までがまっすぐに伸び、脚部全体が内側方向へと動くことができるようになった。本発明の隆起部は正常な体重移動を足裏部に示し導くことができるようにしたので、当接する足裏部全体の筋肉に緊張感を与え、あたかも凹凸の大地の上を歩いている状態を足裏部に感じさせることができるようになった。本発明の隆起部は、足裏部で行われる正常な体重移動である踵部から当接し、母趾部で蹴り出す一連の動きである。あおる運動ができるように形成されているので、正常な体重移動により形成される３つのアーチを、バランスよく鍛えることができるようになった。本発明の隆起部を辿る歩行は、足裏部のアーチを鍛え正常な歩行ができるようにしたので、身体の前後左右の動揺を防止することができるようになり、さらに、歩行を通して足裏部を強化することができるようになった。
また、立位姿勢において、足部を支点とするバランスの保持のために、常に足裏部が隆起部を意識することができるようにしたので、足裏部は踵部と母趾球部を中心として体重を受けとめることができるようになり、足裏部で行われるバランス保持力を強化できるようになったので、疲れの少ない姿勢保持が可能となった。
【００２２】
第二に、本発明による隆起部を母趾球部より母趾部に複数形成したので、母趾球部より母趾部を中心とした蹴り出しが確実にできるようになった。
さらに、人間の足部の形状は各人各様であり、特に足趾部の形状は個人差が著しく、一般的に母趾部は外側向きである。このような足趾部に対応するために隆起部を複数形成することにより、変形したあらゆる母趾部が隆起部に当接が可能となり、母趾部での蹴り出しが確実にできるようになった。
母趾球部より母趾部を中心とした蹴り出しは、足底筋の特に内側の縦アーチを使用する動作となり、歩行にもっとも必要な筋群を強化することができるようになった。
また、母趾球部より母趾部を中心とした蹴り出しは、十分に膝関節が伸びた条件と重なり、蹴り出し時に十分に膝部が伸ばすことができるようになり、十分なふくらはぎの収縮は血流の循環を活発にし、足裏部の筋肉の動きは、血管の伸縮運動が活発になり、心臓のポンプとしての働きを助け、第二の心臓といわれる働きなどの血流の促進は、疲労回復、新陳代謝が向上し頭の働きを活発にすることができるようになった。
膝部が伸びた蹴り出しは、蹴り出す力が強化され、足部を外側方向から振り子の動きで前方への動作が容易になり、脚部や足部を固定しフラつきのない踵部からの当接をすることができるようになった。
また、確実な蹴り出しは、歩幅を広げる歩行となり歩行時のエネルギー効率を高めることができ、疲れの少ない歩行ができるようになった。
【００２３】
第三に本発明の隆起部を、踵部と母趾球部と母趾球部とを繋ぐ線上に形成したので、母趾部による十分な蹴り出しができるようになった。足部は外側へ反り振り子の動きで前方へ動作し、膝部が伸び、脚部や足部を固定することができるようになり、フラつきのないしっかりとした足指部が前方を向いた、踵部からの当接が確実にできるようになった。
本発明の隆起部を踵部より形成したので、踵部は隆起部に当接できるようになった。歩行時での踵部からの当接は、背筋が自然に伸び、さらに、膝部が伸びて脚部が真っすぐになり、十分に片脚部に体重がのる安定した歩行ができるようになり、膝関節症の予防ができるようになった。
また、踵部からの当接は、母趾部が自然にまっすぐ前へ出るため、ガニ股、内股の矯正にもつながることができるようなった。
踵部からの当接が確実にできるようになり、膝部が伸び足趾部が上方を向くために、歩行時のつまづきを防止することができるようになった。
また、踵部からの当接が確実にできるようになり、足裏部で行われる正しい体重移動が確実に行えるようになった。
【００２４】
第四に、本発明の隆起部を形成したので、正しい体重移動ができるようになった。踵部に加わった体重は、足部をあおるような内側へ向かう動作とともに母趾球部へと向かう、即ち三次元的な動作を導くために、流れるような自然な体重移動ができるようになった。
本発明の隆起部を辿る歩行は、足裏部における正しい体重移動ができるようにしたので、３つのアーチのバランスを整えながら正しいアーチ構造に強化することができるようになった。３つのアーチのバランスを整え、強化することができたので、身体を支える支点としての足部の機能が強化され、安定した両脚部や片脚部での立位姿勢の維持や、片脚部で体重をしっかりと支持する歩行ができるようになった。片脚部での体重支持ができるようになったので、骨盤の回転がスムーズになり、身体の左右の動揺や上下の動揺が少ない安定した歩行ができるようになった。
正しい歩行を実現するために、さまざまな方法が試されているが、本発明の隆起部を辿る歩行は、正しい歩行を意識することが必要でなく、ただ歩行を重ねるだけで、誰でもが自然に正しい歩行ができるようになった。
【００２５】
第五に、上記隆起部を踵部と母趾球部と母趾球部とを繋ぐ線上に直交して隆起部を形成したので、底部が薄い履き物や中敷などにおいて、歩行時の足裏部の曲がりやひねりなどに、十分に対応することができるようになった。
また、パンプスやハイヒールなど傾斜がある履き物などに用いることで、足部のスベリ防止ができるようになった。
【００２６】
第六に、上記隆起部を踵部と母趾球部と母趾球部とを繋ぐ線上に斜交してカマボコ状の隆起部を形成したので、足裏部の左右分力の内向きの力を、さらにスムーズに働せることができるようになった。
上記の動作は、脚部や大腿部の動きにも働き本発明の隆起部の特徴をさらに高めることができるようになった。
また、歩行のあらゆる癖に対応した隆起部を形成できるようしたので、偏平足、外反母趾、内股、O脚などの変形した足部や脚部なども矯正することができるようになった。
【００２７】
第七に、上記隆起部を、足裏部が当接する履き物に用いられる中敷などの上面に形成されるようにしたので、上記隆起部を足裏部は確実に感知することができるようになった。
【００２８】
第八に、上記隆起部を、足裏部が当接する履き物に用いられる中敷の下面に形成されるようにしたので、柔らかい足裏部や、変形した足や、歩行の癖などにより上記隆起部に直接当接することができた。
【００２９】
第九に、上記隆起部を、足裏部が当接する履き物に用いられる中敷の両面に形成されるようにしたので、特に歩行の癖や変形した足部に対して、踵部から母指部までに上面や下面だけ、あるいは両面にと、その形成部を選択して形成できるようにしたので、あらゆる足部に対応ができるように上記隆起部を形成することができた。
【発明を実施するための最良の形態】
【００３０】
図１は、本発明による歩行矯正用具の最良の形態を示す平面図である。同図において、１は歩行矯正用具で、該歩行矯正用具１は歩行矯正中敷２の上面に隆起部３を形成されているものである。
該隆起部３は、歩行矯正中敷２の踵部５と母趾球部７と母趾部８とを繋ぐ線上に形成され、隆起部３Ａは、踵部５より母趾部８とを繋ぐ線上に形成され、隆起部３Ｂは母趾球部７より母趾部８とを繋ぐ線上に形成されている。該隆起部３は、天然素材としてはゴムや皮革類などを使用し、合成素材としては合成樹脂などであり、熱可塑性樹脂のＡＢＳ樹脂や、熱硬化性樹脂のシリコーン樹脂や、軟質合成樹脂などを使用することができる。
本発明の技術的思想である隆起部３を形成し設けられていれば特に特定するものではない。
正常な歩行とは、踵部５より母趾部８で行われる足裏部４の体重移動が、あおる運動として確実に行われることであり、踵部５から確実に当接し母趾球部７から母趾部８を中心に確実に蹴り出すことである。
上記隆起部３は、正常な体重移動が行われる線上に形成されており、踵部５からの当接が母趾球部７を通り母趾部８で確実に蹴り出しができるようにしたものである。
本発明の隆起部３は足裏部４に対して痛みなどの不快感を与えるような角がある断面の形状や、歩行の妨げになるような太さなどは避けなければならない。隆起部３Ａ、３Ｂの形状や太さなど、踵部５、土踏まず部６、母趾球部７、母趾部８など各部分が同一の太さのものを示したが、本発明の技術的思想である隆起部３を形成し設けられていれば特に特定や限定するものではない。
本発明の隆起部３は、歩行矯正中敷２の上面に形成されている例を示しているが、現実の歩行における歩行矯正中敷２は、三次元的な立体的に動作する足裏部４と共にあおるような動き方をするために、その質において固い素材は不適当であり、ある程度の軟らかであおりなどにも対応できる素材が好ましい。
また、細い形状の素材を縒り合わせて、隆起部３を形成してもよく、複数の性質が異なる細い素材を縒り合わせてもよく、縒りの左右の方向などにおいても、特に限定するものではない。
本発明の技術的思想である隆起部３を形成し設けられていれば特に特定するものではない。
【００３１】
図２は、歩行矯正中敷２図１中のＸ−Ｘ線上の断面図である。隆起部３は断面円形状で、歩行矯正中敷２の上面の踵部５と母趾球部７と母趾部８とを繋ぐ線上に隆起部３Ａが形成され、母趾球部７から母趾部８とを繋ぐ線上に隆起部３Ｂを形成している。
隆起部３Ａ、３Ｂの断面の形状を楕円形のものを示したが、半円形でもよく特に特定はしない。また、隆起部３Ａと３Ｂがそれぞれ同じ形状でなくてもよく特定はしない。隆起部３Ａと３Ｂが直線的に形成されてもよく、母趾部８などの位置に沿って曲がって形成されてもよく、該隆起部３Ａと３Ｂが形成される間隔なども特に特定はしない。
本発明の技術的思想である隆起部３を形成し設けられていれば特に特定するものではない。
【実施例１】
【００３２】
図3は、本発明による歩行矯正用具の他の実施例を示す平面図である。同図のように歩行矯正中敷２の踵部５と母趾球部７と母趾部８とを繋ぐ線上に該線に斜交して隆起部３Ａが形成され、母趾球部７から母趾部８の線上に該線に斜交して隆起部３Ｂが形成されているものである。
本発明の隆起部３を形成するにあたり、該隆起部３を線としての形状から、点が繋がることによる線としての機能をはたす形状とした例を示した。隆起部３Ａ、３Ｂを短い立体形に形成し、踵部５から母趾部８までの線上に対して外方向が上向きの傾斜のものを示したが、内側方向上向きでもよく、直交してもよく、特に特定するものではない。隆起部３Ａ、３Ｂはそれぞれが同方向に向いてもよく、別々の方向に向いてもよく、特に特定はしない。
隆起部３Ａは、踵部５から母趾部８まで繋がって形成されるが、同一の向きでなくてもよく、土踏まず部６だけ逆向きなどとしてもよく、特に特定するものではない。
隆起部３の短い立体形は、当接する足裏部４に痛みなどを与えることのない形状が好ましいが、特に特定するものではなく、歩行を妨げる形状などをさけた形成が当然である。
本発明の技術的思想である隆起部３を形成し設けられていれば特にこれを特定するものではない。
隆起部３を形成する素材において、足裏部４に不快を与えるものは好ましくなく、また、歩行の障害になるような素材なども避けなければならない。
本発明の技術的思想である隆起部３を形成し設けられていれば特にこれを特定するものではない。
【実施例２】
【００３３】
本発明の隆起部３は、踵部５と母趾球部７とを繋ぐ線上に形成され、母趾球部７と母趾部８とを繋ぐ線上に複数形成している。図１において隆起部３は、踵部５と母趾球部７に１列、母趾球部７と母趾部８に２列の該隆起部３を形成している例を示した。上記隆起部３は、該隆起部と上記線上に直交した隆起部、上記線上に斜交した隆起部があり、３つの上記線上に３種類の隆起部３を組み合わせて形成してもよく、例えば直線状の隆起部と直交する隆起部および斜交する隆起部を組み合わせるなど特に特定はしない。
例として踵部５と母趾球部７とを繋ぐ線上には、隆起部を形成し、踵部５から母趾球部７までの体重移動をスムーズにし、母趾球部７と母趾部８とを繋ぐ線上には、内側に斜交した隆起部を形成し、母趾部がしっかりと斜交した隆起部をとらえ、母趾部による蹴り出す力を内側方向へ強め、また外側には直交した隆起部を形成し、足裏部４の母趾部は外方向へ向いている為に、該母趾部による蹴り出しの最後の時点において直交した隆起部を該母趾部が確実に当接し、歩行における最も重要な蹴り出しが確実に出来るようにしたものである。また、母趾球部７と母趾部８とを繋ぐ線を踵部５から母趾部８までを繋ぐ線の外側に形成したものを示したが内側に形成してもよく、特に特定はしない。本発明の技術的思想である隆起部３を形成し設けられていれば特に特定するものではない。
【実施例３】
【００３４】
図４は、隆起部３を歩行矯正用具１に形成した実施例を示し図４Ａは歩行矯正中敷２の下面に該隆起部３を形成したものであり、図４Ｂは歩行矯正中敷２の両面に該隆起部３を形成したものである。
図４Ａに示す隆起部３は、隆起部３Ａ、３Ｂの断面の形状を楕円形のものを示したが、半円形でもよく特に特定はしない。また、隆起部３Ａと３Ｂがそれぞれ同じ形状でなくてもよく特定はしない。隆起部３Ａと３Ｂが直線的に形成されてもよく、母趾部８などの位置に沿って曲がって形成されてもよく、該隆起部３Ａと３Ｂが形成される間隔なども特に特定はしない。
本発明の技術的思想である隆起部３を形成し設けられていれば特に特定するものではない。
図４Ｂに示す隆起部３は、隆起部３Ａ、３Ｂの断面の形状を楕円形のものを示したが、半円形でもよく特に特定はしない。また、隆起部３Ａと３Ｂがそれぞれ同じ形状でなくてもよく特定はしない。隆起部３Ａと３Ｂが直線的に形成されてもよく、母趾部８などの位置に沿って曲がって形成されてもよく、該隆起部３Ａと３Ｂが形成される間隔なども特に特定はしない。
本発明の技術的思想である隆起部３を形成し設けられていれば特に特定するものではない。
また、隆起部３Ａが下面にあり、隆起部３Ｂが上面にある例を示したが、隆起部３Ａが上面でもよく、特に特定はしない。隆起部３Ａが踵部５より母趾部８まで１つの面に限定するものではなく、母趾部８だけが上面であってもよく、特に特定するものではない。
本発明の技術的思想である隆起部３を形成し設けられていれば特に特定するものではない。
【図面の簡単な説明】
【００３５】
【図１】本発明による歩行矯正用具の最良の形態を示す平面図である。
【図２】図１中のＸ−Ｘ線における断面側面図である。
【図３】歩行矯正用具の実施例の平面図である。
【図４】歩行矯正用具の他の実施例の断面側面図である。
【符号の説明】
【００３６】
１    歩行矯正用具
２    中敷
３    隆起部
３Ａ  隆起部
３Ｂ  隆起部
４    足裏部
５    踵部
６    土踏まず部
７    母趾球部
８    母趾部
【図１】
2008125693.tif 000003
【図２】
2008125693.tif 000004
【図３】
2008125693.tif 000005
【図４】
2008125693.tif 000006